(57)【要約】      （修正有）【課題】オーダーメイドが実現できるゴルフクラブヘッドを提供する。【解決手段】ゴルフクラブヘッドはヘッド本体２０、第一キャップ３０および第二キャップ４０を備える。ヘッド本体２０は相互に繋がる第一開口部２５および第二開口部を有する。第一キャップ３０は頂部３１および撃球部３３を有する。撃球部３３は頂部３１の一端から下へ伸びて形成される。第一キャップ３０はヘッド本体２０の第一開口部２５に被さって固定される。第二キャップ４０はヘッド本体２０の第二開口部に被さって固定される。第一キャップ３０および第二キャップ４０は同じ材料または異なる材料によって製作されるため、構造全体の重心は第一キャップ３０および第二キャップ４０の材料によって変わる。異なるプレーヤのニーズを満足させる最適な構造を組み立て、プレーヤに最良の打撃効果を発揮させることができる。【選択図】図２
0003223387.tif 000002
【実用新案登録請求の範囲】
【請求項１】
ヘッド本体、第一キャップおよび第二キャップを備え、
前記ヘッド本体は円弧状頂部フレームおよび円弧状側部フレームを有し、前記円弧状頂部フレームおよび前記円弧状側部フレームはそれぞれ両端が相互に連結されて一体になり、前記円弧状頂部フレームおよび円弧状側部フレームは異なる仮想平面に位置付けされ、相互に繋がる第一開口部および第二開口部を形成し、
前記第一キャップは前記ヘッド本体の前記第一開口部を覆い、頂部および撃球部を有し、前記頂部は前記ヘッド本体の前記円弧状頂部フレームに固定され、前記撃球部は前記頂部の一端から下へ伸びて形成され、前記ヘッド本体の前記円弧状側部フレームに固定され、
前記第二キャップは、前記ヘッド本体の前記第二開口部に被さって前記ヘッド本体の前記円弧状頂部フレームおよび前記円弧状側部フレームに固定されることを特徴とする、
ゴルフクラブヘッド。
【請求項２】
前記第一開口部は前記円弧状頂部フレームの上側辺部および前記円弧状側部フレームの外側辺部によって囲まれて形成され、前記第二開口部は前記円弧状頂部フレームの下側辺部および前記円弧状側部フレームの内側辺部によって囲まれて形成されることを特徴とする請求項１に記載のゴルフクラブヘッド。
【請求項３】
前記ヘッド本体において、前記円弧状頂部フレームは内周縁部に第一凹状嵌合溝を有し、前記円弧状側部フレームは外側辺部に前記第一凹状嵌合溝と接続する第二凹状嵌合溝を有し、前記第一キャップにおいて、前記頂部は外周縁部に第一凸状嵌合部を有し、前記撃球部は内側辺部に前記第一凸状嵌合部と接続する前記第二凸状嵌合部を有し、前記第一凸状嵌合部は前記第一凹状嵌合溝に嵌まり込み、前記第二凸状嵌合部は前記第二凹状嵌合溝に嵌まり込むことを特徴とする請求項１に記載のゴルフクラブヘッド。
【請求項４】
前記第二キャップは比重が７．８以上の材料から製作されることを特徴とする請求項１から請求項３のいずれか一つに記載のゴルフクラブヘッド。
【考案の詳細な説明】
【技術分野】
【０００１】
本考案はゴルフクラブヘッド、特にオーダーメイドが実現できるゴルフクラブヘッドに関するものである。
【背景技術】
【０００２】
従来のゴルフクラブヘッドは鋳造技術によって一体成型される。最良の打球効果を発揮するためには嵌合方式によっておもりおよびゴルフクラブヘッドをまとめて固定することが一般的である。しかしながら、異なるプレーヤの求めるおもりを満足させるならば、業者はすべてのユニットに対してそれに対応できる型を開発し、製作を行うことを免れることができず、開発コストが高くつくため、オーダーメイドを実現させることは難しい。
【考案の概要】
【考案が解決しようとする課題】
【０００３】
本考案は異なるプレーヤのニーズを満足させる最適な構造を組み立て、オーダーメイドを実現させることができるゴルフクラブヘッドを提供することを主な目的とする。
【課題を解決するための手段】
【０００４】
上述した課題を解決するためのゴルフクラブヘッドは、ヘッド本体、第一キャップおよび第二キャップを備える。ヘッド本体は円弧状頂部フレームおよび円弧状側部フレームを有する。円弧状頂部フレームおよび円弧状側部フレームはそれぞれ両端が相互に連結されて一体になる。円弧状頂部フレームおよび円弧状側部フレームは異なる仮想平面に位置付けされ、相互に繋がる第一開口部および第二開口部を形成する。第一キャップは頂部および撃球部を有する。撃球部は頂部の一端から下へ伸びて形成される。第一キャップはヘッド本体の第一開口部に被さり、頂部がヘッド本体の円弧状頂部フレームに固定され、撃球部がヘッド本体の円弧状側部フレームに固定される。第二キャップはヘッド本体の第二開口部に被さってヘッド本体の円弧状頂部フレームおよび円弧状側部フレームに固定される。
【０００５】
第一キャップおよび第二キャップは同じ材料または異なる材料によって製作されるため、本考案によるゴルフクラブヘッドの構造全体の重心は第一キャップおよび第二キャップの材料によって変わる。上述した構造特徴により、本考案は異なるプレーヤのニーズを満足させる最適な構造を組み立て、オーダーメイドを実現させることができる。
【０００６】
比較的好ましい場合、ヘッド本体の円弧状頂部フレームは内周縁部に第一凹状嵌合溝を有する。ヘッド本体の円弧状側部フレームは内周縁部に第一凹状嵌合溝と接続する第二凹状嵌合溝を有する。第一キャップの頂部は外周縁部に第一凸状嵌合部を有する。第一キャップの撃球部は内側辺縁部に第一凸状嵌合部と接続する第二凸状嵌合部を有する。第一キャプの第一凸状嵌合部をヘッド本体の第一凹状嵌合溝に嵌め込み、第一キャップの第二凸状嵌合部をヘッド本体の第二凹状嵌合溝に嵌め込めばヘッド本体と第一キャップを結合させることができる。
【０００７】
比較的好ましい場合、第二キャップは比重が７．８以上の材料、例えばステンレス鋼またはタングステンニッケル合金から製作される。
【０００８】
本考案によるゴルフクラブヘッドの詳細な構造、特徴、組み立てまたは使用方法を、以下の実施形態の詳細な説明を通して明確にする。なお、以下の詳細な説明および本考案により提示された実施形態は本考案を説明するための一例に過ぎず、本考案の請求範囲を限定できないことは、本考案にかかわる領域において常識がある人ならば理解できるはずである。
【図面の簡単な説明】
【０００９】
【図１】本考案の一実施形態によるゴルフクラブヘッドを上から見た斜視図である。
【図２】本考案の一実施形態によるゴルフクラブヘッドを上から見た分解斜視図である。
【図３】本考案の一実施形態によるゴルフクラブヘッドを下から見た斜視図である。
【図４】本考案の一実施形態によるゴルフクラブヘッドを下から見た分解斜視図である。
【図５】図１中の５−５線に沿った断面図である。
【考案を実施するための形態】
【００１０】
以下、本考案によるゴルフクラブヘッドを図面に基づいて説明する。なお、図中の同じ符号は同じ部品または類似した部品の構造特徴を示す。
【００１１】
（一実施形態）
図１から図４に示すように、本考案の一実施形態によるゴルフクラブヘッド１０はヘッド本体２０、第一キャップ３０および第二キャップ４０を備える。
【００１２】
ヘッド本体２０はチタン、ステンレス鋼、アルミニウムまたは炭素繊維などから一体成型され、円弧状頂部フレーム２１および円弧状側部フレーム２３を有する。円弧状頂部フレーム２１および円弧状側部フレーム２３はそれぞれ両端が相互に連結されて一体になる。
円弧状頂部フレーム２１および円弧状側部フレーム２３は異なる仮想平面に位置付けされ、相互に繋がる第一開口部２５（図２参照）および第二開口部２６（図４参照）を形成する。詳しく言えば、円弧状側部フレーム２３は円弧状頂部フレーム２１の下方から斜めに伸びて一定の角度を成す。第一開口部２５は円弧状頂部フレーム２１の上側辺部および円弧状側部フレーム２３の外側辺部によって囲まれて形成される。第二開口部２６は円弧状頂部フレーム２１の下側辺部および円弧状側部フレーム２３の内側辺部によって囲まれて形成される。
【００１３】
第一キャップ３０はチタン、ステンレス鋼、アルミニウムまたは炭素繊維などから一体成型され、頂部３１および撃球部３３を有する。撃球部３３は頂部３１の一端から下へ伸びて形成される。
図１および図２に示すように、ヘッド本体２０に第一キャップ３０を取り付ける際、ヘッド本体２０の円弧状頂部フレーム２１の内周縁部に第一キャップ３０の頂部３１の外周縁部を溶接方式で固定し、ヘッド本体２０の円弧状側部フレーム２３の外側辺部に第一キャップ３０の撃球部３３の内側辺部を溶接方式で固定すれば、第一キャップ３０はヘッド本体２０の第一開口部２５に被さる。
【００１４】
第一キャップ３０の取付作業を迅速かつ正確に完了させるために、図３から図５に示すように、ヘッド本体２０の円弧状頂部フレーム２１は内周縁部に第一凹状嵌合溝２２を有する。ヘッド本体２０の円弧状側部フレーム２３は外側辺部に第一凹状嵌合溝２２と接続する第二凹状嵌合溝２４を有する。第一キャップ３０の頂部３１は外周縁部に第一凸状嵌合部３２を有する。第一キャップ３０の撃球部３３は内側辺縁部に第一凸状嵌合部３２と接続する第二凸状嵌合部３４を有する。第一キャプ３０の第一凸状嵌合部３２をヘッド本体２０の第一凹状嵌合溝２２に嵌め込み、第一キャップ３０の第二凸状嵌合部３４をヘッド本体２０の第二凹状嵌合溝２４に嵌め込んで取付作業の誤差を減らすことで、取付作業の誤差が原因で打撃効果に影響を与えることを抑制することができる。
【００１５】
第二キャップ４０は比重が７．８以上の材料（例えばステンレス鋼またはタングステンニッケル合金）から一体成型される。
図３および図４に示すように、ヘッド本体２０に第二キャップ４０を取り付ける際、ヘッド本体２０の円弧状頂部フレーム２１の下側辺部および円弧状側部フレーム２３の内側辺部に第二キャップ４０の外周縁部を溶接方式で固定すると、第二キャップ４０はヘッド本体２０の第二開口部２６に被さる。
【００１６】
第一キャップ３０および第二キャップ４０は同じ材料または異なる材料によって製作されるため、構造全体の重心は第一キャップ３０および第二キャップ４０の材料によって変わる。上述した構造特徴により、本考案は様々な型の開発を必要とせず、異なるプレーヤのニーズを満足させる最適な構造を組み立てることができるため、コストの削減およびオーダーメイドが実現できる。
【符号の説明】
【００１７】
１０  ゴルフクラブヘッド
２０  ヘッド本体
２１  円弧状頂部フレーム
２２  第一凹状嵌合溝
２３  円弧状側部フレーム
２４  第二凹状嵌合溝
２５  第一開口部
２６  第二開口部
３０  第一キャップ
３１  頂部
３２  第一凸状嵌合部
３３  撃球部
３４  第二凸状嵌合部
４０  第二キャップ
【図１】
0003223387.tif 000003
【図２】
0003223387.tif 000004
【図３】
0003223387.tif 000005
【図４】
0003223387.tif 000006
【図５】
0003223387.tif 000007